(57)【要約】      （修正有）【課題】構造が簡単で安上がりに製造することができ、ヘルメットへの装着も簡単に行うことができるヘルメット用耳当てを提供する。【解決手段】ヘルメット本体７の左右側壁からＶ字状に下方突出された顎紐５に装着されるヘルメット用耳当てであって、左右一対の第１耳当て体１１と第２耳当て体とを有し、第１耳当て体１１と第２耳当て体との前後両端部同士が連結されて、第１耳当て体１１と第２耳当て体との間にＶ字状の顎紐５を上下に挿通する挿通孔３０が形成され、第１耳当て体１１の内面と第２耳当て体の内面とに互いに留められるファスナーが設けられ、該ファスナーが顎紐５のＶ字状交差部１６に上側から係合されるようにした。【選択図】図１
0003171649.tif 000002
【実用新案登録請求の範囲】
【請求項１】
ヘルメット本体（７）の左右側壁からＶ字状に下方突出された顎紐（５）に装着されるヘルメット用耳当てであって、
左右一対の第１耳当て体（１１）と第２耳当て体（１２）とを有し、第１耳当て体（１１）と第２耳当て体（１２）との前後両端部同士が連結されて、第１耳当て体（１１）と第２耳当て体（１２）との間にＶ字状の顎紐（５）を上下に挿通する挿通孔（３０）が形成され、第１耳当て体（１１）の内面側と第２耳当て体（１２）の内面側とに互いに留められるファスナーが設けられ、該ファスナーが顎紐（５）のＶ字状交差部（１６）に上側から係合するようにしたことを特徴とするヘルメット用耳当て。
【請求項２】
前記ファスナーは互いに留められるホック（３３，３４）で構成されており、第１耳当て体（１１）の内面と第２耳当て体（１２）の内面との前後方向中央部にホック（３３，３４）が上下一対ずつ設けられていることを特徴とする請求項１に記載のヘルメット用耳当て。
【請求項３】
前記ファスナーは互いに留められる面ファスナー（３７，３８）で構成されており、第１耳当て体（１１）の内面と第２耳当て体（１２）の内面との前後方向中央部に面ファスナー（３７，３８）が上下一対ずつ設けられていることを特徴とする請求項１に記載のヘルメット用耳当て。
【請求項４】
前記ファスナーは互いに留められる面ファスナー（３７，３８）で構成されており、面ファスナー（３７，３８）が上下方向に長く形成されて、第１耳当て体（１１）の内面と第２耳当て体（１２）の内面との前後方向中央部に設けられていることを特徴とする請求項１に記載のヘルメット用耳当て。
【考案の詳細な説明】
【技術分野】
【０００１】
本考案は、ヘルメット用耳当てに関するものである。
【背景技術】
【０００２】
従来のヘルメット用耳当てには、耳当て本体にヘルメットの顎紐を上下方向に通す顎紐通し部を設け、耳当て本体の上部に、ヘルメット本体と当該ヘルメット本体へ内装された緩衝材との隙間へ差し込まれる可撓性の差し込みプレートを設けたものがある（特許文献１）。
【先行技術文献】
【特許文献】
【０００３】
【特許文献１】実用新案登録第３０７５３７５号公報
【考案の概要】
【考案が解決しようとする課題】
【０００４】
従って、従来では耳当て本体の上部に差し込みプレートを設ける必要があり、構成部材が多くて構造が複雑になり、製造費が高く付いた。また、耳当てをヘルメットに装着する際には、差し込みプレートをヘルメット本体と当該ヘルメット本体へ内装された緩衝材との隙間へ差し込む必要があり、耳当てのヘルメットへの装着が面倒であるという不具合があった。
【０００５】
本考案は上記問題点に鑑み、構造が簡単で安上がりに製造することができ、ヘルメットへの装着も簡単に行うことができるヘルメット用耳当てを提供することを目的としている。
【課題を解決するための手段】
【０００６】
本考案における課題解決のための具体的手段は、次の通りである。
この技術的課題を解決する本考案の技術的手段は、ヘルメット本体７の左右側壁からＶ字状に下方突出された顎紐５に装着されるヘルメット用耳当てであって、
左右一対の第１耳当て体１１と第２耳当て体１２とを有し、第１耳当て体１１と第２耳当て体１２との前後両端部同士が連結されて、第１耳当て体１１と第２耳当て体１２との間にＶ字状の顎紐５を上下に挿通する挿通孔３０が形成され、第１耳当て体１１の内面側と第２耳当て体１２の内面側とに互いに留められるファスナーが設けられ、該ファスナーが顎紐５のＶ字状交差部１６に上側から係合するようにした点にある。
【０００７】
また、本考案の他の技術的手段は、前記ファスナーは互いに留められるホック３３，３４で構成されており、第１耳当て体１１の内面と第２耳当て体１２の内面との前後方向中央部にホック３３，３４が上下一対ずつ設けられている点にある。
また、本考案の他の技術的手段は、前記ファスナーは互いに留められる面ファスナー３７，３８で構成されており、第１耳当て体１１の内面と第２耳当て体１２の内面との前後方向中央部に面ファスナー３７，３８が上下一対ずつ設けられている点にある。
【０００８】
また、本考案の他の技術的手段は、前記ファスナーは互いに留められる面ファスナー３７，３８で構成されており、面ファスナー３７，３８が上下方向に長く形成されて、第１耳当て体１１の内面と第２耳当て体１２の内面との前後方向中央部に設けられている点にある。
【考案の効果】
【０００９】
本考案によれば、従来のように耳当て本体の上部に差し込みプレートを設ける必要がなくなり、ヘルメット用耳当ては構造が簡単で安上がりに製造することができ、ファスナーを顎紐のＶ字状交差部に上側から係合することによって、ヘルメットへの装着も簡単に行うことができる。
【図面の簡単な説明】
【００１０】
【図１】本考案の第１実施形態を示すヘルメット用耳当てをヘルメットに装着した状態の側面図である。
【図２】同ヘルメット用耳当て部分の斜視図である。
【図３】同ヘルメット用耳当て部分の平面断面図である。
【図４】同ヘルメット用耳当てを裏返した状態の平面図である。
【図５】本考案の第２実施形態を示すヘルメット用耳当てを裏返した状態の平面図である。
【考案を実施するための形態】
【００１１】
以下、本考案の実施の形態を図面に基づいて説明する。
図１〜図４は本考案の第１実施形態を示している。図１〜図４において、ヘルメット用耳当て１は、ヘルメット４の左右一対の顎紐５に装着されるもので、ヘルメット４の左右の顎紐５に対応して左右一対設けられ、左右の耳に外側方から当てて防寒する。
ヘルメット４の顎紐５はヘルメット本体７の左右側壁からＶ字状に下方突出されており、前紐部１４と後紐部１５とをＶ字状に有し、前紐部１４と後紐部１５との下方側にＶ字状に交差したＶ字状交差部１６が設けられ、このＶ字状交差部１６の下方に日の字状のアジャスタ１８が設けられており、アジャスタ１８を上下に移動調整することにより、顎紐５のＶ字状交差部１６の位置を上下調整できるようになっている。
【００１２】
各ヘルメット用耳当て１は、第１耳当て体１１と第２耳当て体１２とを左右に有している。第１耳当て体１１は、パイル地やボア等の起毛素材により構成した第１外面材２１と、布等により構成した第１内面材２２とを有し、これら第１外面材２１と第１内面材２２との間に綿等の柔軟材２３を入れて、第１外面材２１と第１内面材２２との外周同士が互いに縫着されている。第１耳当て体１１は、第１外面材２１と第１内面材２２との間に柔軟材２３を入れることにより、左右に膨らませてある。
【００１３】
第２耳当て体１２は、パイル地やボア等の起毛素材により構成した第２外面材２５と、布等により構成した第２内面材２６とを有し、第２外面材２５と第２内面材２６との外周同士を互いに縫着して構成されており、第１耳当て体１１に比べて左右に薄く形成されている。
第１耳当て体１１と第２耳当て体１２との前後両端部同士が縫着２９により連結されて、第１耳当て体１１と第２耳当て体１２との間にＶ字状の顎紐５を上下に挿通する挿通孔３０が形成されている。
【００１４】
これは、図４に示すように、第１耳当て体１１と第２耳当て体１２とを裏返した状態で（第１耳当て体１１の第１内面材２２と第１耳当て体１１の第２内面材２６とを外面側に向け、第１耳当て体１１の第１外面材２１と第２耳当て体１２の第２外面材２５とを内面側に向けた状態で）、第１耳当て体１１と第２耳当て体１２との前後両端部同士を縫着２９して互いに連結した後に、図１及び図２に示す如く第１耳当て体１１と第２耳当て体１２とを裏返して、第１外面材２１と第２外面材２５とを外面側に向けさせたものである。
【００１５】
第１耳当て体１１（第１内面材２２）の内面と第２耳当て体１２（第２内面材２６）の内面との前後方向中央部に、ファスナーであるホック３３，３４が上下一対ずつ設けられ、一対のホック３３，３４により、第１耳当て体１１の内面と第２耳当て体１２の内面とを上下２箇所で着脱自在に互いに留められるようになっている。第１耳当て体１１と第２耳当て体１２との間の挿通孔３０にＶ字状の顎紐５を上下に挿通して、上下のホック３３，３４を留めたときに、下側のホック３３，３４が顎紐５のＶ字状交差部１６に上方から係合されて、ヘルメット用耳当て１がＶ字状の顎紐５から落下しないようにヘルメット本体７に装着されるようになっている。
【００１６】
上記第１実施形態によれば、ヘルメット用耳当て１をヘルメット４に装着する場合、第１耳当て体１１と第２耳当て体１２との間に挿通孔３０を介してＶ字状の顎紐５を上下に挿通した後に、第１耳当て体１１の上下一対のホック３３と第２耳当て体１２の上下一対のホック３４とを互いに留めて、第１耳当て体１１の内面と第２耳当て体１２の内面とを上下２箇所で留めればよく、下側のホック３３，３４が顎紐５のＶ字状交差部１６に上方から係合して、ヘルメット用耳当て１がＶ字状の顎紐５から落下しないようにヘルメット４に装着される。
【００１７】
従って、従来のように耳当て本体の上部に差し込みプレートを設ける必要がなくなり、このためヘルメット用耳当て１の構成部材が少なくなって構造が簡単になり、製造費も安上がりになる。また、ヘルメット用耳当て１をヘルメット４に装着する際には、差し込みプレートをヘルメット本体７と当該ヘルメット本体７へ内装された緩衝材との隙間へ差し込むような作業も不要になり、ヘルメット用耳当て１のヘルメット４への装着も極めて簡単にできるようになる。
【００１８】
また、ヘルメット用耳当て１は、上下及び前後の区別がなく、どちら側を上又は下に向けてもよいし、どちら側を前又は後に向けてもよく、この点からもヘルメット用耳当て１をヘルメット４により簡単に装着することができる。
なお、ヘルメット用耳当て１は、原則的には、図３に示すように、分厚い第１耳当て体１１を左右方向の外側に位置させると共に薄い第２耳当て体１２を左右方向の内側に位置させるように配置して、ヘルメット４に装着するが、ヘルメット装着者の顔が小さい場合は、逆に、分厚い第１耳当て体１１を左右方向の内側に位置させると共に薄い第２耳当て体１２を左右方向の外側に位置させるように配置して、ヘルメット用耳当て１をヘルメット４に装着すればよい。
【００１９】
図５は第２実施形態を示し、前記上下一対のホック３３，３４に代えて、第１耳当て体１１の内面と第２耳当て体１２の内面との前後方向中央部に互いに留められる面ファスナー３７，３８が上下方向に長く設けられている。その他の点は前記第１実施形態の構成と同様の構成である。
この第２実施形態では、ヘルメット用耳当て１をヘルメット４に装着する場合、第１耳当て体１１と第２耳当て体１２との間に挿通孔３０を介してＶ字状の顎紐５を上下に挿通した後に、第１耳当て体１１の面ファスナー３７と第２耳当て体１２の面ファスナー３８とを互いに留めればよく、面ファスナー３７，３８の下部が顎紐５のＶ字状交差部１６に上方から係合して、ヘルメット用耳当て１がＶ字状の顎紐５から落下しないようにヘルメット本体７に装着される。従って、ヘルメット用耳当て１の構成部材が少なくなって構造が簡単になり、製造費も安上がりになる。また、ヘルメット用耳当て１のヘルメット４への装着も極めて簡単にできるようになる。
【００２０】
なお、前記実施形態に代えて、第１耳当て体１１の内面と第２耳当て体１２の内面との前後方向中央部に面ファスナー３７，３８を上下一対ずつ設けるようにしてもよい。
また、前記実施形態では、第１耳当て体１１の内面側と第２耳当て体１２の内面側とに、互いに留められるファスナーとしてホック３３，３４又は面ファスナー３７，３８が設けられているが、これに代えて、第１耳当て体１１の内面側と第２耳当て体１２の内面側とにボタンとボタン孔とを設け、ボタンをボタン孔に挿入保持することにより、第１耳当て体１１の内面側と第２耳当て体１２の内面側とに互いに留めるようにしてもよい。また、第１耳当て体１１の内面側と第２耳当て体１２の内面側の例えば中央部のみにホック３３，３４等のファスナーを設けるようにしてもよい。
【００２１】
また、前記実施形態では、第１耳当て体１１と第２耳当て体１２との前後両端部同士が縫着２９により連結されて、第１耳当て体１１と第２耳当て体１２との間にＶ字状の顎紐５を上下に挿通する挿通孔３０が形成されているが、第１耳当て体１１と第２耳当て体１２との前後両端部同士の連結は、縫着２９により連結する場合に限定されず、第１耳当て体１１と第２耳当て体１２とを布や起毛素材で一体に形成することにより連結してもよいし、また、第１耳当て体１１と第２耳当て体１２との前後両端部同士を接着剤等で接着することにより連結するようにしてもよい。
【００２２】
また、第１耳当て体１１の第１外面材２１と第２耳当て体１２の第２外面材２５との起毛の長さを互いに異ならせるようにしてもよいし、また、第１耳当て体１１の第１外面材２１と第２耳当て体１２の第２外面材２５とを色違いにするようにしてもよい。
【符号の説明】
【００２３】
１      ヘルメット用耳当て
４      ヘルメット
５      顎紐
７      ヘルメット本体
１１    第１耳当て体
１２    第２耳当て体
１６    Ｖ字状交差部
３３    ホック
３４    ホック
３７    面ファスナー
３８    面ファスナー
【図１】
0003171649.tif 000003
【図２】
0003171649.tif 000004
【図３】
0003171649.tif 000005
【図４】
0003171649.tif 000006
【図５】
0003171649.tif 000007